(57)【要約】  少なくとも１つのサンプルリール（１５）を受け、少なくとも１つのモータ（１２）によって作動される少なくとも１つのサンプルホルダ（１１）と、少なくとも１つのモータ（１２）を間欠的に制御する少なくとも１つの電子モジュール（１３）と、切断領域（１７）に配置される１つの切断要素（１４）と、少なくとも１つのサンプルホルダ（１１）を回転的に作動させ、少なくとも１つのサンプル（１６）を前記切断領域（１７）内に配置する少なくとも１つのモータ（１２）を備える自動サンプル分配装置（１０）であって、少なくとも１つのサンプル（１６）が前記切断要素（１４）によって前記サンプルリール（１５）から自動的に取り外される。【選択図】図２
2018515250.tif 000002
【特許請求の範囲】
【請求項１】
少なくとも１つのサンプルリール（１５）を受け、少なくとも１つのモータ（１２）によって作動される少なくとも１つのサンプルホルダ（１１）と、
少なくとも１つのモータ（１２）を間欠的に制御する少なくとも１つの電子モジュール（１３）と、
切断領域（１７）に配置される切断要素（１４）と、
少なくとも１つのサンプルホルダ（１１）を回転作動させ、少なくとも１つのサンプル（１６）を前記切断領域（１７）内に配置する少なくとも１つのモータ（１２）と、
前記切断要素（１４）によって前記サンプルリール（１５）から自動的に取り外される少なくとも１つのサンプル（１６）を備える、自動サンプル分配装置（１０）。
【請求項２】
前記サンプルリール（１５）は、多数の等間隔にプリントされたサンプル（１６）を含み、各サンプルは被覆フィルム（２２）によってカバーされた製品を配置する領域（２１）のあるベースフィルム（２０）を備えた、請求項１に記載の装置。
【請求項３】
前記製品を配置するための前記領域（２１）は、香料、化粧品またはメーキャップ中から製品を受け入れる、請求項２に記載の装置。
【請求項４】
前記サンプルリール（１５）が多数の切断エリア（２３）を含み、各切断エリア（２３）が２つの連続するサンプル（１６）の間に配置されている、請求項２に記載の装置。
【請求項５】
前記電子モジュール（１３）は、起動ボタン（３０）に関連付けられ、電気回路に接続されたタッチセンサを含み、前記起動ボタン（３０）が触れられて作動することにより、前記電気回路によって作動される、請求項１に記載の装置。
【請求項６】
少なくとも１つの前記電子モジュール（１３）は、少なくとも１つのモータ（１２）を所定時間作動させる、請求項１に記載の装置。
【請求項７】
前記電子モジュール（１３）は、前記サンプルリール（１５）上のマーキングによって作動される少なくとも１つのフォトセルセンサを備える、請求項１に記載の装置。
【請求項８】
前記サンプル（１６）の前記切断エリア（２３）が前記切断領域（１７）と一致するとき、前記電子モジュール（１３）が前記フォトセルセンサからの信号を受信する、請求項４および請求項７に記載の装置。
【請求項９】
前記切断要素がギロチン（１４）からなる、請求項１に記載の装置。
【請求項１０】
前記ギロチン（１４）は、前記電子モジュール（１３）によって作動される、請求項９に記載の装置。
【請求項１１】
少なくとも１つのサンプルリール（１５）を受け入れる少なくとも１つのサンプルホルダ（１１）と、少なくとも１つの電子モジュール（１３）と、少なくとも１つのモータ（１２）と、前記切断領域（１７）および前記切断要素（１４）とを挿入する剛性ケーシング（４０）を備える、請求項１から請求項１０までのいずれか一項に記載の装置。
【請求項１２】
前記剛性ケーシング（４０）が、前記サンプル（１５）が分配される水平スリット（４１）を備え、前記水平スリット（４１）が前記切断領域（１７）に隣接して配置される、請求項１１に記載の装置。
【発明の詳細な説明】
【技術分野】
【０００１】
本発明は、特に、安全で衛生的かつ完全に自動化された方法で、化粧品、メーキャップおよび芳香剤のような製品の特有で個別のサンプルを直販店で提供するために使用される自動サンプル分配装置（automatic sample-dispensing device）に関する。
【従来技術】
【０００２】
店舗、展示会およびその他のタイプの販売店では、消費者は購入、または知りたい香水や化粧品のサンプルをしばしば要求する。
【０００３】
試験された製品が香水である場合、少量の製品が通常、紙切れに散布されて、ユーザーが芳香を嗅ぐことができる。興味のある製品や展示品が化粧品やメーキャップである場合、一般に、サンプラーと呼ばれる製品自体の複製があり、消費者が少量引き出して利用できる。皮膚に塗布される化粧品の場合、サンプラー製品は消費者にとって衛生的ではないように見える。これは消費者がすでに何人かの他の人がサンプラー製品と接触していることを知っているからである。
【０００４】
サンプラー製品を提供することによる業者の損失やサンプラー製品に触れる際の衛生状態の欠如などの問題を最小限に抑えるために、文献BR 102012028851の要旨を構成するサンプル分配要素が開発された。このサンプル分配要素は、多量のサンプルが設けられたリールから成り、各サンプルは、接着剤部分によって囲まれた製品保管場所の領域からなり、その上に保護フィルムが取り付けられる。このサンプル分配要素は剛性ケーシングに挿入される。これにより、剛性ケーシングの外側にサンプルに触れる領域が得られる。消費者が製品のサンプルを入手したい場合、サンプルの取り外し可能なエッジが次のサンプルのエッジから引き裂かれるまで、このサンプルを手で引っ張る。この目的のために、消費者は、リールから取り外して剛性ケーシングを離れるまで、サンプルを引っ張る何らかの力を加える必要がある。サンプルがはがされると、消費者は保護フィルムを剥がしその材料を利用可能となる。材料として、香料、化粧品、メーキャップなどが挙げられる。
【０００５】
文献BR 102012028851の目的であるこのサンプル分配要素は、サンプリングのために製品を開けることの問題を解決した。更には、消費者がサンプリングされた製品と直接接触するのを避けて、リールから切り離すことができる特有で個別のサンプルを使用することにより衛生レベルが上がる。しかしながら、リール上において次のサンプルから取り外されるまでサンプルを引き出すために、消費者からの力の行使を必要とし、これにいくらかの不快感を消費者にもたらした。
【発明の目的】
【０００６】
したがって、本発明の１つの目的は、消費者が起動ボタンを押すだけで所与の製品の特有で個別のサンプルを得ることを可能にする自動サンプル分配装置を提供することである。
【０００７】
また、本発明の目的は、消費者に不快感を与えることなく、完全に自動化された方法で所望のサンプルを供給することができる自動サンプル分配装置を提供することである。
【０００８】
本発明の別の目的は家具の異なる場所および/または部分に自動サンプル分配装置を設置する可能性を提供することである。かかる家具にはカウンター、棚、ゴンドラ棚、トーテムポール、テーブル、本棚および様々な販売促進装置が挙げられ、組み込み型かどうかは関係ない。
【発明の簡単な説明】
【０００９】
本発明の対象は自動サンプル分配装置であり、この自動サンプル分配装置は、少なくとも1つのサンプルリールを受け、少なくとも１つのモータによって作動される少なくとも１つのサンプルホルダと、少なくとも１つのモータを間欠的に制御する少なくとも１つの電子モジュールと、切断領域に配置される少なくとも１つの切断要素と、少なくとも１つのサンプルホルダを回転作動させ、切断領域に少なくとも１つのサンプルを配置する少なくとも１つのモータを備え、少なくとも１つのサンプルは、切断要素によって、サンプルリールから自動的に取り外される。
【図面の簡単な説明】
【００１０】
本発明は、図面に示されている実施例に基づいて、以下にさらに詳細に説明される。図面は、以下のことを表わす。
図１は、本発明の目的を構成する自動サンプル分配装置の概略正面図である。
図２は、本発明の目的を構成する自動サンプル分配装置の概略側面図である。そして、
図３Ａおよび図３Ｂは、本発明の目的を構成する自動サンプル分配装置によって分配されたサンプルの模式図を示す。
【発明の詳細な説明】
【００１１】
図１、図２、図３Ａおよび図３Ｂに示す好ましい実施形態によれば、本発明の対象である自動サンプル分配装置１０は剛性ケーシング４０を備える。この剛性ケーシングはアクリルで形成することが好ましいが、別のタイプの同等の材質で形成してもよい。
【００１２】
剛性ケーシング４０の内部には少なくとも１つのサンプホルダ１１が備えられる。このサンプルホルダ１１は少なくとも１つのサンプルリール１５を保持し、少なくとも１つのモータ１２によって作動される。更には、モータ１２に指令する少なくとも１つの電子モジュール１３と切断領域１７に設けられる切断要素１４が備えられる。サンプルホルダ１１はシャフトで構成され、そこに、サンプルリール１５は軸方向に挿入される。
【００１３】
サンプルリール１５は、好ましくは等距離にプリントされたサンプル１６を多数含む。図３Ａに示されるように、各サンプル１６には長方形または正方形のベースフィルム２０が設けられ、その上に製品を配置するための領域２１および接着縁部２７がある。被覆フィルム２２が接着縁部２７に接着され、したがってサンプル１６、特に製品の配置領域２１を覆って保護する。この被覆フィルム２２はまた、製品の配置のための領域２１を完全に覆うのに適した数え切れないほどの型を有するかもしれない。
【００１４】
製品の配置のためのこの領域はサンプル１６内の限られたスペースに対応して製品を受け入れる。かかる製品は香料、口紅、アイシャドーパウダー、ファンデーションなど化粧品、またはメーキャップである。この空間は、定められた形状または任意の形状を有することができ、さらに、ベースフィルム２０は、プリントアウトおよびグラフィック要素を受け入れることができる。
【００１５】
さらに、サンプルリール１５に関して、このサンプルリール１５は１０００以上のサンプル１６を備えていてもよい。各サンプル１６は切断エリア２３によって互いに区切られる。各切断エリア２３はサンプルリール１５の長さ全体にわたって２つの連続したサンプル１６の間に配置される。
【００１６】
モータ１２は、電子モジュール１３によって所定時間作動される電気モータである。一旦オンになると、モータ１２は、少なくとも１つのサンプルホルダ１１を回転動作させ、少なくとも１つのサンプル１６を切断領域１７に配置する。このモータ１２はサンプルリール１５を所定時間回転させる機能を有する。これにより、サンプル１６を切断領域１７の切断エリア２３に配置して、切断要素１４と正確に位置合わせする。この切断要素１４は、好ましくは、切断領域１７に隣接して剛性ケーシング４０に埋め込まれたギロチンである。
【００１７】
電子モジュール１３は、タッチセンサと、少なくとも１つのフォトセルセンサ（図示せず）とを備える。
【００１８】
タッチセンサは、起動ボタン３０を備え、電気回路に接続される。起動ボタン３０を押すと、電気回路内の接点が閉じられ、電子モジュール１３が起動される。
【００１９】
次に、フォトセルセンサは、サンプルリール１５内のマーキングに基づいて作動され、すなわちフォトセルセンサがサンプルリールに設けられたマーキングを読み取り、データが電子モジュール１３に転送される。フォトセルセンサによって電子モジュール１３に転送されたデータは、サンプル１６の切断エリア２３が切断領域１７と一致していることを示している。
【００２０】
自動サンプル分配装置を作動させるために、消費者は起動ボタン３０に触れて、電気回路内の接点を閉じて電子モジュール１３を作動させる。
【００２１】
電子モジュール１３はモータ１２を作動させ、サンプルリール１５を所定時間回転させる。この所定時間は次のように調整される。即ち、サンプル１６が剛性ケーシング４０内に設けられた水平スリット４１を介して装置１０から移動され、そのサンプルの切断エリア２３が装置１０の切断領域１７に隣接して配置される。
【００２２】
同時に、サンプルリール１５の変位の間に、このリールはフォトセルセンサの近くを通過する。このフォトセルセンサはリール１５内のマーキングの読み取り、取り外されるべきサンプル１６の正確な位置を示す信号を電子モジュール１３に送る。すなわち、装置の切断領域１７に隣接するサンプル１６の切断エリア２３の正確な位置を示す信号を送る。
【００２３】
電子モジュール１３がフォトセルセンサを介してサンプル１６の正しい位置に関する情報を受信すると、モータ１２は停止し、切断要素１４が電子モジュール１３によって起動されてサンプル１６を切断する。したがって、サンプル１６は、サンプルリール１５から自動的に取り外され、起動ボタン３０に触れること以外に、消費者または使用者が他の何のアクションもなしに利用できるようになる。
【００２４】
この自動サンプル分配装置１０は、トーテムポールに内蔵し、起動ボタン３０および水平スリット４１のみを明らかに分かるようにして、サンプル１５が自動的に分配できる。
【００２５】
他の実施形態では、自動サンプル分配装置１０は、カウンター、棚、ゴンドラ、テーブル、本棚および様々な販売促進装置に配置することができる。
【００２６】
１つの好ましい実施例のみが記載されているが、本発明の範囲は他の可能な変形例を包含し、添付の特許請求の範囲の内容によってのみ限定され、起こり得る同等のものを含むことを理解されたい。
【図１】
2018515250.tif 000003
【図２】
2018515250.tif 000004
【図３Ａ】
2018515250.tif 000005
【図３Ｂ】
2018515250.tif 000006
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
少なくとも１つのサンプルリール（１５）を受け、少なくとも１つのモータ（１２）によって作動される少なくとも１つのサンプルホルダ（１１）と、
切断領域（１７）に取り付けられる切断要素（１４）と、
少なくとも１つのサンプルホルダ（１１）を回転作動させ、少なくとも１つのサンプル（１６）を前記切断領域（１７）内に配置する少なくとも１つのモータ（１２）と、
前記切断要素（１４）によって前記サンプルリール（１５）から自動的に取り外される少なくとも１つのサンプル（１６）と、を備える自動サンプル分配装置（１０）であって、
更に、起動ボタン（３０）に関連付けられ、電気回路に接続されたタッチセンサを含む少なくとも１つの電子モジュール（１３）であって、前記起動ボタン（３０）が触れられて作動することにより、前記電気回路によって作動される電子モジュール（１３）を備え、
前記電子モジュール（１３）は、前記起動ボタン（３０）が触れられると、所定時間前記モータ（１２）を作動させて少なくとも１つのモータ（１２）を間欠的に制御し、
前記サンプルリール（１５）は、多数のプリントされたサンプル（１６）を含み、各サンプルは製品を配置する領域（２１）があるベースフィルム（２０）を備え、製品を配置するための前記領域（２１）は、香料、化粧品またはメーキャップ中から製品を受け入れる、自動サンプル分配装置（１０）。
【請求項２】
前記サンプルリール（１５）が多数の切断エリア（２３）を含み、各切断エリア（２３）が２つの連続するサンプル（１６）の間に配置されている、請求項１に記載の装置。
【請求項３】
前記電子モジュール（１３）は、前記サンプルリール（１５）上のマーキングによって作動される少なくとも１つのフォトセルセンサを備える、請求項１に記載の装置。
【請求項４】
前記サンプル（１６）の前記切断エリア（２３）が前記切断領域（１７）と一致するとき、前記電子モジュール（１３）が前記フォトセルセンサから信号を受信する、請求項２および請求項３に記載の装置。
【請求項５】
前記切断要素がギロチン（１４）からなる、請求項１に記載の装置。
【請求項６】
前記ギロチン（１４）は、前記電子モジュール（１３）によって作動される、請求項５に記載の装置。
【請求項７】
少なくとも１つのサンプルリール（１５）を受け入れる少なくとも１つのサンプルホルダ（１１）と、少なくとも１つの電子モジュール（１３）と、少なくとも１つのモータ（１２）と、前記切断領域（１７）および前記切断要素（１４）とを挿入する剛性ケーシング（４０）を備える、請求項１から請求項６までのいずれか一項に記載の装置。
【請求項８】
前記剛性ケーシング（４０）が、前記サンプル（１５）が分配される水平スリット（４１）を備え、前記水平スリット（４１）が前記切断領域（１７）に隣接して配置される、請求項７に記載の装置。
【国際調査報告】
2018515250.tif 000007
2018515250.tif 000008